(57)【要約】      （修正有）【課題】異なる径の管材に対して異なったサイズの複数のクランプを用いることによる煩雑さと構造的強度不足と高価という問題点を解消し、中小異なる複数の管材の把持に用いることが出来る異径管対応スペーサを提供する。【解決手段】二分割のスペーサ５を介し、径の異なる複数の管材６、７を直接クランプする足場単管クランプ１は、スペーサ５を、中径管を把持する中径に対応する円弧状と小径管を把持する円弧状の溝とを備える構成とした。【選択図】図１
2015137538.tif 000002
【特許請求の範囲】
【請求項１】
足場単管クランプに、二分割のスペーサを介し、径の異なる複数の管材を直接クランプする、中径管を把持する凹部に、径に対応する円弧状を設け、さらに小径管を把持するための円弧状の溝を設け、スペーサの外径は単管と同一サイズとし、これによって径の異なる管材が一組のスペーサで把持可能となる、これを特徴とする異径管対応スペーサ。
【請求項２】
この特徴ある異径管対応スペーサに、さらに単管クランプからはみ出した嵌合部位の両端を盛り上げた形状、としたのが特徴。
【発明の詳細な説明】
【技術分野】
【０００１】  本発明は、異径管のクランプを容易にするスペーサに関するものである。
【背景技術】
【０００２】  従来は、建設又は建築の足場を構築するために、単管とクランプが供されている。これ以外にも単管を利用した、既製品異径管対応クランプが主に４種類、実用に供されている。【０００３】  しかし、足場単管の強固な構造と経済性が、農業用ビニールハウスや畑の囲い、又は、それを必要とする他の分野において、あまり利用されていないのが現状である。
足場単管と既製品の異径管対応クランプを応用しようするが、このクランプには管材のサイズ別に決められた４種類が用意され、管材の径が異なればクランプの種類も、それだけ増すことになって流用性がなく経済的負担と管理上の不便が伴う。
異径管対応クランプを使い、ビニールハウスに使用されている長い管材を固定し屋根部分を構築しようとするが、締結ボルトは直径６ｍｍ、保持金具は厚さ２ｍｍ、軽量であっても強度がなく自然変化の風圧には耐性上の不安から実現していない。その上、多品種少量のため市場価格が堅牢強固な単管クランプの二倍もするなど経済的欠点があった。【０００４】  従来の農業用ビニールハウス、又は、トマト栽培の雨除け管材などには１９ｍｍ、又は、２１ｍｍの長い管材が用いられている。かまぼこ状のトンネルハウス構造となっていることから、出入り口は両端の二か所となる。新たに農作業を始める者には以外と不便に感じる。この中で有機栽培を行うと、草刈り機の操作や耕耘作業が必要となって、立ち並んだ管材が邪魔して能率も悪く、その上、耕耘機の出し入れ収穫作業の不便と改善策を考えるが実現していない。【０００５】  作業場などに、機材や部品を管理するために収納棚の必要性から、足場単管と異径管を応用した構造物を作りたい。これに対応するクランプが実用に供されているが、強度不足と高額なことから実現していない。また、作業現場などで必要に応じた長い強固な架設ハシゴの必要を感じても同様な理由から、これも実現していない。
【先行技術文献】
【特許文献】
【０００６】
【特許文献１】  特開２００７−７０８３８号公報
【発明の概要】
【発明が解決しようとする課題】
【０００７】  解決しようとする問題点は、異径管対応クランプの強度不足と必要とする異径管材種類と同数のクランプが必要とする煩雑さ、市場価格が高額である、とする能率と経済性が問題である。
【課題を解決するための手段】
【０００８】  本発明は、単管クランプに直接、一組２分割したスペーサを用いて、径の異なる複数の管材であっても、直径１２ミリボルトの強靭な締結力で把持することを可能とした利便性と経済性が実現したことを最も主要な特徴とする。
【発明の効果】
【０００９】  本発明の異径管対応スペーサは、単管クランプの直径１０ｍｍボルトの強い締結力によって把持するも、素材の持つ弾力性と二つの円弧状とした特徴のある形状から、スペーサと管材に変形、破損も生じないとする合理性。その上、素材を経済性から間伐材を利用加工した木製とした。なを、廃プラ材の成形加工の容易性から木製とは異なった利便性のよい形状としたことで、使用目的による選択性が生まれた利点がある。
【図面の簡単な説明】
【００１０】
【図１】  木製スペーサの実施方法を示した説明図である。（実施例１）
【図２】  廃材スペーサの両端を特徴とした嵌合が容易な実施方法を示した説明図（実施例２）
【発明を実施するための形態】
【００１１】  単管クランプの強靭な把持力でもスペーサと管材に変形、破損が生じないこと、一組の異径管対応スペーサで複数の管材がクランプできる経済性を実現した。
【実施例１】
【００１２】  図１は、本発明の木製スペーサの一組で１９ｍｍ管材を把持した実施例の斜視図。図３は木製スペーサ本体で凹部は４０ｍｍ管材が把持できる円弧状、この中央部分に１９ｍｍ管材が把持できる円弧状の浅い溝を設けた斜視図。図５は１９ｍｍ管材を２分割したスペーサの中央部分だけで強力に把持しても把持面が大きいことから損傷もなく、締結力に余裕があるとする側面図。
【実施例２】  図２は、廃プラ材で成形したスペーサの一片だけを用いて、中径の４０ｍｍ管材を把持した実施例で、スペーサの両端がクランプより盛り上がった形状で嵌合していることから位置ぎめ、が容易で作業性もよい斜視図。
図４は、廃プラ材スペーサの本体、木製とは凹部の形状は同じであるがスペーサとクランプが嵌合する部位の両端が盛り上がった形状の斜視図。
図６は、廃プラ材スペーサの両端がクランプより盛り上がった形状がズレ止め効果となって作業性がよい実施例の側面図。
【産業上の利用可能性】
【００１３】  足場単管で構築された構造物は強固で経済的にも優れている。これを農業分野のビニールハウスの構築に利用したい。ハウス用管材は屋根構造だけに使用して側面は足場単管で構築すれば開放的で強固なビニールハウスが実現する。
足場単管クランプと異径管対応スペーサによって、異径管の把持強度が増した。本来の目的である足場構築にこれを工夫利用すれば経済効果も期待できる。
【符号の説明】
【００１４】  １  足場用単管クランプ
２  １０ｍｍボルト取付け部
３  １０ｍｍボルト
４  １０ｍｍ締付けナット
５  木製スペーサ
６  １９ｍｍ管材
７  ４８．６ｍｍ足場単管
８  廃プラ材スペーサ
９  ２０ｍｍの円弧状
１０  ４０ｍｍの円弧状
１１  ４０ｍｍ管材
１２  両端が盛り上がった部位
１３  廃プラ材スペーサとクランプの嵌合部分
【図１】
2015137538.tif 000003
【図２】
2015137538.tif 000004
【図３】
2015137538.tif 000005
【図４】
2015137538.tif 000006
【図５】
2015137538.tif 000007
【図６】
2015137538.tif 000008
【手続補正書】
【提出日】平成26年3月25日(2014.3.25)
【手続補正１】
【補正対象書類名】明細書
【補正対象項目名】００１０
【補正方法】変更
【補正の内容】
【００１０】
【図１】  木製スペーサの実施方法を示した説明図である。（実施例１）
【図２】  廃材スペーサの両端を特徴とした嵌合が容易な実施方法を示した説明図である。（実施例２）
【図３】  木製スペーサ本体、凹部は径の異なる複数の管材を把持するために二つの円弧状とし、クランプで把持する外側の形状は単管と同一とした斜視図。
【図４】  廃プラ材スペーサ本体、両端が盛り上がった形状となっている以外は、木製スペーサと同一とした斜視図。
【図５】  木製スペーサの実施図、二分割したスペーサ同士が接触して把持力が失われないために十分な隙間を設けたサイズとした、小径管を強く把持するとクランプ締結ボルトは深くまで締められる状態とする側面図。
【図６】  廃プラ材スペーサの実施図、木製スペーサと同一使用条件であるが、異なるのは両端が盛り上がった形状が観察できるとする側面図。
【手続補正２】
【補正対象書類名】明細書
【補正対象項目名】０００８
【補正方法】変更
【補正の内容】
【０００８】本発明は、単管クランプに直接、一組二分割したスペーサを用いて、径の異なる複数の管材であっても、直接１０ミリボルトの強靭な締結力で把持することを可能とした利便性と経済性が実現したことを最も主要な特徴とする。